(57)【要約】【課題】利用者による返却操作によって、課金用に投入されている硬貨を返却できるようにした課金型課金型硬貨式錠装置を提供する。【解決手段】解錠位置と施錠位置との間でキー１７によって回動操作可能なシリンダ錠１５の回動によって駆動手段１００が施錠板１８を駆動し施解錠を行う。硬貨収容保持手段２００に所定額の硬貨の保持がないとき、回動操作規制手段３００が解錠位置から施錠位置へのシリンダ錠の回動操作を規制し、この規制を、規制解除手段４１０が所定額の硬貨が保持されたことを機械的に検出して解除する。キーの引き抜きに応じて、収容保持されている硬貨を開放して落下させ、装置内部に回収する。解錠位置にあるとき操作可能な返却操作手段１６の操作に応じて、硬貨返却手段１６ｄが保持されている硬貨を開放して落下させ、硬貨返却口から装置外部に排出させて返却する。【選択図】図１３
2007321412.tif 000002
【特許請求の範囲】
【請求項１】
キーが抜けない解錠位置とキーが挿抜自在となる施錠位置との間でキーによって回動操作可能なシリンダ錠を有し、前記シリンダ錠の回動によって施錠板を駆動し施解錠を行う駆動手段と、硬貨投入口に投入された硬貨を収容し保持する硬貨収容保持手段と、前記硬貨収容保持手段に所定額の硬貨が保持されていないとき、前記解錠位置から前記施錠位置へのキーによる前記シリンダ錠の回動操作を規制する回動操作規制手段と、前記硬貨収容保持手段に所定額の硬貨が保持されたことを機械的に検出して前記回動操作規制手段による規制を解除する規制解除手段とを備え、前記シリンダ錠からのキーの引き抜きに応じて、前記硬貨収容保持手段により収容保持されている硬貨を開放して落下させ、該落下した硬貨を装置内部に回収して課金する課金型硬貨式錠装置において、
前記シリンダ錠が施錠位置にあるとき操作が規制され、前記シリンダ錠が解錠位置にあるとき操作可能な返却操作手段と、
前記返却操作手段の操作に応じて前記硬貨収容保持手段により保持されている硬貨を開放して落下させ、該落下した硬貨を硬貨返却口から装置外部に排出させて返却する硬貨返却手段と
を備えることを特徴とする課金型硬貨式錠装置。
【請求項２】
前記硬貨収容保持手段は、投入された硬貨を収容する硬貨収容部と、前記硬貨収容部外に退出するように弾性付勢力が常時付与され、該弾性付勢力に抗して前記硬貨収容部内に突入されて前記硬貨収容部に収容された硬貨を保持するストッパ手段を有し、前記シリンダ錠に挿入されたキーに応動し、前記弾性付勢力に抗して前記ストッパ手段を前記硬貨収容部内に突入させる力が弾性手段を介して付与され、
前記硬貨返却手段は、前記返却操作手段の操作に応じ、前記弾性手段を介して付与している前記ストッパ手段を前記硬貨収容部内に突入させる力を解消し、前記弾性付勢力によって前記ストッパ手段を前記硬貨収容部外に退出させる
ことを特徴とする請求項１記載の課金型硬貨式錠装置。
【請求項３】
前記硬貨収容保持手段は、前記硬貨投入口に投入された硬貨を収容する硬貨収容部と、該硬貨収容部内に進入して前記硬貨収容部内に硬貨を収容保持し、前記硬貨収容部外に退出して前記硬貨収容部内に収容保持されている硬貨を開放して落下させるストッパピンを有し、前記ストッパピンを前記硬貨収容部外に退出させる方向に弾性付勢力が常時付与され、前記弾性付勢力に抗する回動によって前記ストッパピンを前記硬貨収容部内に進入させるストッパピン基板と、前記シリンダ錠に挿入されるキーによって作動される作動桿と、該作動桿との間にスプリングが縮設されるともに該スプリングによる付勢力に抗して前記作動桿に対して所定量相対的に移動可能に連結された駆動桿とを有し、前記シリンダ錠に挿入されたキーによって前記作動桿及び前記駆動桿を介して前記ストッパピン基板を前記弾性付勢力に抗して押圧して回動させ、前記ストッパピンを前記硬貨収容部内に進入した状態に保持し、前記シリンダ錠からのキーの引き抜きによって前記作動桿及び前記駆動桿を介しての前記ストッパピン基板の押圧を解消して前記ストッパピン基板を前記弾性付勢力に従って回動させ、前記ストッパピンを前記硬貨収容部外に後退させて前記硬貨収容部に保持されている硬貨を開放して落下させ、
前記硬貨返却手段は、前記返却操作手段の操作によって、前記ストッパピン基板を押圧している前記駆動桿を前記スプリングの付勢力に抗して前記作動桿に対して相対移動させて前記駆動桿による前記ストッパピン基板の押圧を解消し、該押圧の解消によって前記ストッパピン基板を前記弾性付勢力に従って回動させ、前記ストッパピンを前記硬貨収容部外に後退させて前記硬貨収容部に保持されている硬貨を開放して落下させる
ことを特徴とする請求項１記載の課金型硬貨式錠装置。
【請求項４】
前記シリンダ錠が施錠位置にあるとき、前記返却操作手段の操作を規制する返却操作規制手段を備える
ことを特徴とする請求項１〜３の何れかに記載の課金型硬貨式錠装置。
【請求項５】
前記シリンダ錠のキーによる回動操作に応じて前記落下する硬貨を前記装置内に回収する通路を開閉し、前記シリンダ錠が施錠位置にあるとき前記通路を開き、前記シリンダ錠が解錠位置にあるとき前記通路を閉じて前記落下する硬貨を前記硬貨返却口に案内する切替手段を備える
ことを特徴とする請求項１〜４の何れかに記載の課金型硬貨式錠装置。
【請求項６】
前記シリンダ錠が施錠位置にあるとき前記硬貨返却口を閉じ、前記シリンダ錠が解錠位置にあるとき前記硬貨返却口を開くシャッタ手段を備える
ことを特徴とする請求項１〜５の何れかに記載の課金型硬貨式錠装置。
【発明の詳細な説明】
【技術分野】
【０００１】
本発明は、投入された硬貨が所定額収容されたことを機械的に検出し、この検出によって例えばコインロッカのような収容室の扉を施錠及び解錠するキー操作が可能になり、施錠後のキーの抜き取りによって、収容されている硬貨を回収して課金する課金型硬貨式錠装置に関するものである。
【背景技術】
【０００２】
この種の課金型硬貨式錠装置は、コインロッカに広く使用されている。従来の課金型硬貨式錠装置は、キーが抜けない解錠位置とキーが挿抜自在となる施錠位置との間でキーによって回動操作可能なシリンダ錠を備え、シリンダ錠は、所定額の硬貨が投入されるまでは、解錠位置においてキーによる回動操作が規制され、所定額の硬貨が投入されたことが機械的に検出されることで規制が解除されてキーによる回動操作によって施錠及び解錠が可能になることにより、例えば１００円硬貨が収容されたことが検出されたときにキー操作によってロッカ扉を施解錠でき、施錠後のキーの抜き取りによって、収容されている硬貨を回収して課金できるように構成されている。（例えば、特許文献１参照。）
【特許文献１】特公平１−１５１１６号公報
【発明の開示】
【発明が解決しようとする課題】
【０００３】
コインロッカの利用料は、これまで長い期間１００円で、１００円硬貨１枚の投入によって利用できた。そのため、上述した従来の課金型硬貨式錠装置においては、一度投入された硬貨を利用者に返却するための機構を備えることを必要としていなかった。
【０００４】
ところが、近時、収容スペースの大きな収容室をもったコインロッカが出現するようになってくると、利用料は１００円ではすまなくなり、利用に当たって複数枚の１００円硬貨を投入することが必要となる場合が多くなってきている。このため、利用者のなかには、硬貨投入の途中で所持する硬貨数の不足に気が付き、急遽両替が必要になることがある。
【０００５】
このようなとき、両替を行った後に、既に投入した硬貨に追加して不足額に相当する硬貨を投入することになるが、備え付けの両替機がないときには、利用者はコインロッカから一度離れて両替を行って戻ってきてから不足額を投入することになる。このため、利用者がコインロッカを離れて戻ってくるまでの間に、他の利用者によって、投入途中にあるロッカに硬貨が投入されたときには、不足額の硬貨の投入によって利用されてしまうことになる。このようなことが起こると、両替して戻った利用者は不足額の硬貨の投入だけではロッカを利用できなくなり、別のロッカに所定額の硬貨を最初から投入しなければならなくなることで、利用者との間にトラブルが生じかねない。
【０００６】
勿論、コインロッカに両替機を備え付ければ問題は解消するが、コインロッカを管理する者は、両替機を常に利用できるように管理しなければならず、管理者の負担が増大する別の問題を生起することになる。
【０００７】
よって、本発明は、上述した現状に鑑み、利用者による返却操作によって、課金用に投入されている硬貨を返却できるようにした課金型硬貨式錠装置を提供することを課題としている。
【課題を解決するための手段】
【０００８】
上記課題を解決するためなされた請求項１記載の発明に係る課金型硬貨式錠装置は、キーが抜けない解錠位置とキーが挿抜自在となる施錠位置との間でキーによって回動操作可能なシリンダ錠を有し、前記シリンダ錠の回動によって施錠板を駆動し施解錠を行う駆動手段と、硬貨投入口に投入された硬貨を収容し保持する硬貨収容保持手段と、前記硬貨収容保持手段に所定額の硬貨が保持されていないとき、前記解錠位置から前記施錠位置へのキーによる前記シリンダ錠の回動操作を規制する回動操作規制手段と、前記硬貨収容保持手段に所定額の硬貨が保持されたことを機械的に検出して前記回動操作規制手段による規制を解除する規制解除手段とを備え、前記シリンダ錠からのキーの引き抜きに応じて、前記硬貨収容保持手段により収容保持されている硬貨を開放して落下させ、該落下した硬貨を装置内部に回収して課金する課金型硬貨式錠装置において、前記シリンダ錠が施錠位置にあるとき操作が規制され、前記シリンダ錠が解錠位置にあるとき操作可能な返却操作手段と、前記返却操作手段の操作に応じて前記硬貨収容保持手段により保持されている硬貨を開放して落下させ、該落下した硬貨を硬貨返却口から装置外部に排出させて返却する硬貨返却手段とを備えることを特徴とする。
【０００９】
上記構成により、キーが抜けない解錠位置とキーが挿抜自在となる施錠位置との間でキーによって回動操作可能なシリンダ錠の回動によって駆動手段が施錠板を駆動し施解錠を行い、硬貨収容保持手段が硬貨投入口に投入された硬貨を収容し保持し、硬貨収容保持手段に所定額の硬貨が保持されていないとき、回動操作規制手段が解錠位置から施錠位置へのキーによるシリンダ錠の回動操作を規制し、回動操作規制手段による規制を、規制解除手段が硬貨収容保持手段に所定額の硬貨が保持されたことを機械的に検出して解除する。シリンダ錠からのキーの引き抜きに応じて、硬貨収容保持手段により収容保持されている硬貨を開放して落下させ、該落下した硬貨を装置内部に回収して課金する。そして、シリンダ錠が施錠位置にあるとき操作が規制され、シリンダ錠が解錠位置にあるとき操作可能な返却操作手段の操作に応じて、硬貨返却手段が硬貨収容保持手段により保持されている硬貨を開放して落下させ、該落下した硬貨を硬貨返却口から装置外部に排出させて返却するので、シリンダ錠が解錠状態であれば、返却操作手段の操作によって、硬貨収容保持手段に保持されている硬貨を落下させ硬貨返却口から排出させて返却することができる。
【００１０】
請求項２記載の発明に係る課金型硬貨式錠装置は、請求項１記載の課金型硬貨式錠装置において、前記硬貨収容保持手段は、投入された硬貨を収容する硬貨収容部と、前記硬貨収容部外に退出するように弾性付勢力が常時付与され、該弾性付勢力に抗して前記硬貨収容部内に突入されて前記硬貨収容部に収容された硬貨を保持するストッパ手段を有し、前記シリンダ錠に挿入されたキーに応動し、前記弾性付勢力に抗して前記ストッパ手段を前記硬貨収容部内に突入させる力を弾性手段が介して付与され、前記硬貨返却手段は、前記返却操作手段の操作に応じ、前記弾性手段を介して付与している前記ストッパ手段を前記硬貨収容部内に突入させる力を解消し、前記弾性付勢力によって前記ストッパ手段を前記硬貨収容部外に退出させることを特徴とする。
【００１１】
上記構成により、投入された硬貨を収容する硬貨収容部外に退出するように弾性付勢力が常時付与されているストッパ手段を弾性付勢力に抗して硬貨収容部内に突入させて硬貨収容部に収容された硬貨を保持する力がシリンダ錠に挿入されたキーに応動し弾性手段を介して付与され、硬貨返却手段は、返却操作手段の操作に応じ、ストッパ手段を弾性付勢力に抗して硬貨収容部内に突入させている力を解消し、ストッパ手段を弾性付勢力によって硬貨収容部外に退出させるので、シリンダ錠へのキーの挿入によって付与されている硬貨を保持する力が、キーの引き抜きによらず、返却操作手段の操作によって解消でき、硬貨収容保持手段に保持されている硬貨を落下させ硬貨返却口から排出させて返却することができる。
【００１２】
請求項３記載の発明に係る課金型硬貨式錠装置は、請求項１記載の課金型硬貨式錠装置において、前記硬貨収容保持手段は、前記硬貨投入口に投入された硬貨を収容する硬貨収容部と、該硬貨収容部内に進入して前記硬貨収容部内に硬貨を収容保持し、前記硬貨収容部外に退出して前記硬貨収容部内に収容保持されている硬貨を開放して落下させるストッパピンを有し、前記ストッパピンを前記硬貨収容部外に退出させる方向に弾性付勢力が常時付与され、前記弾性付勢力に抗する回動によって前記ストッパピンを前記硬貨収容部内に進入させるストッパピン基板と、前記シリンダ錠に挿入されるキーによって作動される作動桿と、該作動桿との間にスプリングが縮設されるともに該スプリングによる付勢力に抗して前記作動桿に対して所定量相対的に移動可能に連結された駆動桿とを有し、前記シリンダ錠に挿入されたキーによって前記作動桿及び前記駆動桿を介して前記ストッパピン基板を前記弾性付勢力に抗して押圧して回動させ、前記ストッパピンを前記硬貨収容部内に進入した状態に保持し、前記シリンダ錠からのキーの引き抜きによって前記作動桿及び前記駆動桿を介しての前記ストッパピン基板の押圧を解消して前記ストッパピン基板を前記弾性付勢力に従って回動させ、前記ストッパピンを前記硬貨収容部外に後退させて前記硬貨収容部に保持されている硬貨を開放して落下させ、前記硬貨返却手段は、前記返却操作手段の操作によって、前記ストッパピン基板を押圧している前記駆動桿を前記スプリングの付勢力に抗して前記作動桿に対して相対移動させて前記駆動桿による前記ストッパピン基板の押圧を解消し、該押圧の解消によって前記ストッパピン基板を前記弾性付勢力に従って回動させ、前記ストッパピンを前記硬貨収容部外に後退させて前記硬貨収容部に保持されている硬貨を開放して落下させることを特徴とする。
【００１３】
上記構成により、硬貨収容保持手段が有するストッパピン基板が、硬貨投入口に投入された硬貨を収容する硬貨収容部内に進入して硬貨収容部内に硬貨を収容保持し、硬貨収容部外に退出して前記硬貨収容部内に収容保持されている硬貨を開放して落下させるストッパピンを有し、ストッパピンを硬貨収容部外に退出させる方向に弾性付勢力が常時付与され、弾性付勢力に抗する回動によってストッパピンを硬貨収容部内に進入させる。硬貨収容保持手段が、シリンダ錠に挿入されるキーによって作動される作動桿と、該作動桿との間にスプリングが縮設されるともに該スプリングによる付勢力に抗して作動桿に対して所定量相対的に移動可能に連結された駆動桿とをさらに有し、シリンダ錠に挿入されたキーによって作動桿及び駆動桿を介してストッパピン基板を弾性付勢力に抗して押圧して回動させ、ストッパピンを硬貨収容部内に進入した状態に保持し、シリンダ錠からのキーの引き抜きによって作動桿及び駆動桿を介してのストッパピン基板の押圧を解消してストッパピン基板を弾性付勢力に従って回動させ、ストッパピンを硬貨収容部外に後退させて硬貨収容部に保持されている硬貨を開放して落下させる。硬貨返却手段が、返却操作手段の操作によって、ストッパピン基板を押圧している駆動桿をスプリングの付勢力に抗して作動桿に対して相対移動させて駆動桿によるストッパピン基板の押圧を解消し、押圧の解消によってストッパピン基板を弾性付勢力に従って回動させ、ストッパピンを硬貨収容部外に後退させて硬貨収容部に保持されている硬貨を開放して落下させるので、シリンダ錠に挿入されたキーによって作動桿及び駆動桿を介してストッパピン基板を弾性付勢力に抗して押圧して回動させ、ストッパピンを硬貨収容部内に進入した状態に保持する力が、シリンダ錠からのキーの引き抜きによらず、返却操作手段の操作によって、ストッパピン基板を押圧している駆動桿をスプリングの付勢力に抗して作動桿に対して相対移動させて駆動桿によるストッパピン基板の押圧を解消でき、硬貨収容保持手段に保持されている硬貨を落下させ硬貨返却口から排出させて返却することができる。
【００１４】
請求項４記載の発明に係る課金型硬貨式錠装置は、請求項１〜３の何れかに記載の課金型硬貨式錠装置において、前記シリンダ錠が施錠位置にあるとき、前記返却操作手段の操作を規制する返却操作規制手段を備えることを特徴とすることを特徴とする。
【００１５】
上記構成により、返却操作規制手段がシリンダ錠が施錠位置にあるとき、返却操作手段の操作を規制するので、シリンダ錠が施錠位置にあるとき返却操作をすることができなく、返却操作を解錠位置にあるときにのみ行えるようにできる。
【００１６】
請求項５記載の発明に係る課金型硬貨式錠装置は、請求項１〜４の何れかに記載の課金型硬貨式錠装置において、前記シリンダ錠のキーによる回動操作に応じて前記落下する硬貨を前記装置内に回収する通路を開閉し、前記シリンダ錠が施錠位置にあるとき前記通路を開き、前記シリンダ錠が解錠位置にあるとき前記通路を閉じて前記落下する硬貨を前記硬貨返却口に案内する切替手段を備えることを特徴とすることを特徴とする。
【００１７】
上記構成により、切替手段はシリンダ錠のキーによる回動操作に応じて落下する硬貨を前記装置内に回収する通路を開閉し、シリンダ錠が施錠位置にあるとき通路を開き、シリンダ錠が解錠位置にあるとき通路を閉じて落下する硬貨を硬貨返却口に案内するので、キーの引き抜き可能な施錠位置にあるときと、硬貨返却操作が行われる解錠位置にあるときに落下される硬貨に対する案内路が予め形成されることができる。
【００１８】
請求項６記載の発明に係る課金型硬貨式錠装置は、請求項１〜５の何れかに記載の課金型硬貨式錠装置において、前記シリンダ錠が施錠位置にあるとき前記硬貨返却口を閉じ、前記シリンダ錠が解錠位置にあるとき前記硬貨返却口を開くシャッタ手段を備えることを特徴とする。
【００１９】
上記構成により、シャッタ手段は、シリンダ錠が施錠位置にあるとき硬貨返却口を閉じ、シリンダ錠が解錠位置にあるとき硬貨返却口を開くので、施錠位置にあるときに回収のため落下される硬貨を返却口側に誘導するような不正具が硬貨返却口を通じて挿入されることを阻止することができる。
【発明の効果】
【００２０】
請求項１記載の発明によれば、シリンダ錠が解錠状態であれば、返却操作手段の操作によって、硬貨収容保持手段に保持されている硬貨を落下させ硬貨返却口から排出させて返却することができるので、利用者による返却操作によって、課金用に投入されている硬貨を返却できる課金型硬貨式錠装置が得られ、投入した硬貨が所定額に不足した場合に、途中まで投入した硬貨を返却できるので、投入硬貨が所定額に満たないままの状態に放置しなくてもすむようになり、放置したときに発生するトラブルを未然に防ぐことができる。
【００２１】
請求項２記載の発明によれば、シリンダ錠へのキーの挿入によって付与されている硬貨を保持する力が、キーの引き抜きによらず、返却操作手段の操作によって解消でき、硬貨収容保持手段に保持されている硬貨を落下させ硬貨返却口から排出させて返却することができ、利用者による返却操作によって、課金用に投入されている硬貨を返却できる課金型硬貨式錠装置が得られる。
【００２２】
請求項３記載の発明によれば、シリンダ錠に挿入されたキーによって作動桿及び駆動桿を介してストッパピン基板を弾性付勢力に抗して押圧して回動させ、ストッパピンを硬貨収容部内に進入した状態に保持する力が、シリンダ錠からのキーの引き抜きによらず、返却操作手段の操作によって、ストッパピン基板を押圧している駆動桿をスプリングの付勢力に抗して作動桿に対して相対移動させて駆動桿によるストッパピン基板の押圧を解消でき、硬貨収容保持手段に保持されている硬貨を落下させ硬貨返却口から排出させて返却することができ、利用者による返却操作によって、課金用に投入されている硬貨を返却できる課金型硬貨式錠装置が得られる。
【００２３】
請求項４記載の発明によれば、シリンダ錠が施錠位置にあるとき返却操作をすることができなく、返却操作を解錠位置にあるときにのみ行えるようにできるので、返施錠状態からキーが抜かれて使用状態になったときに、回収すべき硬貨が返却されてしまい、ロッカが無料で使用されてしまうことを防ぐことができる。
【００２４】
請求項５記載の発明によれば、キーの引き抜き可能な施錠位置にあるときと、硬貨返却操作が行われる解錠位置にあるときで、落下する硬貨を回収又は返却する案内路が予め用意されるので、硬貨返却操作に応じて、保持されている硬貨を開放して落下させるだけでよくなっている。
【００２５】
請求項６記載の発明によれば、施錠位置にあるときに回収のため落下される硬貨に対する不正具を硬貨返却口を通じて挿入することを阻止することができるので、不正によって回収すべき硬貨が硬貨返却口から排出されることを防止できる。
【発明を実施するための最良の形態】
【００２６】
以下、本発明に係る課金型硬貨式錠装置の一実施形態を図面中図１〜図３３を参照して説明する。図示の課金型硬貨式錠装置（以下、錠装置と略記する。）はロッカ扉をそれぞれ有する多数の荷物収容室を備えるコインロッカにおいて、荷物収容室を区画する壁に埋め込まれて設置され、各荷物収容室のロッカ扉を施解錠するために適用される。
【００２７】
図１は解錠状態にある錠装置の正面図、図２は同左側面図、図３は同右側面図、図４は同背面図、図５は同上面図、図６は前方左寄りから見た同斜視図、図７は後方右寄りから見た同斜視図である。図示の錠装置は、１００円硬貨２枚で所定額となる硬貨が投入されることでロッカ扉を施解錠できるように構成されている。
【００２８】
図示の錠装置は、正面板１０ａ、左側板１０ｂ及び右側板１０ｃからなり、錠装置の各種の機構が収容配置される空間Ｓを形成する金属製の枠体１０と、枠体１０の正面板１０ａの外側に重ねて配置された化粧板としての前板１１とを有する。左側板１０ｂは、錠装置がコインロッカの荷物収容室を区画する右側壁に埋め込まれたとき、荷物収容室の内壁の一部を形成する。なお、前板１１はその左右両側が左側板１０ｂ及び右側板１０ｃと重なるように後方に折り曲げられ、この折曲部１１ｂおよび１１ｃで自身と枠体１０を補強している。
【００２９】
前板１１には、その上部側方に、コインロッカの使用に当たって使用者によって１００円硬貨が投入される硬貨投入口１２が設けられ、硬貨投入口１２の下方に、使用者に対して投入硬貨を返却する硬貨返却口１３が設けられ、硬貨返却口１３には、返却された硬貨が落下しないように受ける硬貨受け１３ａが付設されている。
【００３０】
さらに、前板１１には、硬貨投入口１２の右上側方に、ロッカ管理者によって操作される管理者用のシリンダ錠１４が、硬貨返却口１３の右上側方に、ロッカ利用者によってキー１７により回動操作される利用者用のシリンダ錠１５が、利用者用のシリンダ錠１５の下方に、投入硬貨の返却を求める利用者によって押圧操作される返却操作手段としての返却操作軸１６がそれぞれ設けられている。利用者用のシリンダ錠１５は、そのキー挿抜孔に挿入されたキー１７の回動操作によって施錠板１８を折曲部１１ｂの出没孔１１ｂ１を通じて出没させてロッカ扉の施解錠を行う。
【００３１】
図１〜図４並びに図６及び図７に示す錠装置から枠体１０と前板１１とを除去した状態を示す図８〜図１１並びに図１２及び図１３と、図９中のＡ−Ａ断面線についての断面を示す図１４、図１０中のＢ−Ｂ断面線についての断面を示す図１５、図１０中のＣ−Ｃ断面線についての断面を示す図１６、図１１中のＤ−Ｄ断面線についての断面を示す図１７とをさらに参照して、本実施形態を説明する。
【００３２】
本実施形態では、利用者用のシリンダ錠１５としては、キー１７が図１に示すように傾いた状態となりキー引き抜き不能な解錠位置と、垂直な状態となりキー挿抜自在の施錠位置（図示せず）との間でキー１７により回動操作されるものが使用される。錠装置は、このシリンダ錠１５の施錠位置と解錠位置への回動によって、施錠手段としての施錠板１８を出没させるように駆動し施解錠を行う駆動手段としての駆動機構１００（詳細は後述する。）を有する。施錠板１８が図１に示すように出没孔１１ｂ１内に没入されるとロッカ扉が開閉自在になり、施錠板１８が出没孔１１ｂ１から突出されるとロッカ扉が開閉不能になる。
【００３３】
図１に示す解錠状態にあるとき、硬貨投入口１２への硬貨投入が可能であるが、硬貨投入口１２に投入され硬貨収容保持手段としての硬貨収容保持部２００（詳細は後述する。）に収容保持された硬貨が所定額となるまでは、シリンダ錠１５に関連して上記空所Ｓに設けられた回動操作規制手段としての回動操作規制片３００によって、キー１７によるシリンダ錠１５の回動操作が規制され、施錠板１８を出没孔１１ｂ１から突出させてロッカ扉を施錠することができない。
【００３４】
硬貨収容保持部２００は、硬貨投入口１２の後方に枠体１０の左側板１０ｂ内側に沿って設けられ硬貨投入口１２に投入された硬貨を収容する硬貨収容部２１０を有し、硬貨収容部２１０に２００円の所定額が収容されたことは、硬貨収容部２１０に収容された２枚目の硬貨に規制解除手段としての硬貨センサ４１０が応動することによって機械的に検出される。硬貨センサ４１０と回動操作規制片３００は連動しており、硬貨収容部２１０に２枚目の硬貨が収容されたことに硬貨センサ４１０が応動することによって、回動操作規制片３００によるキー１７によるシリンダ錠１５の回動操作の規制が解除され、キー１７によるシリンダ錠１５の回動操作が可能になる。よって、硬貨センサ４１０は、硬貨収容保持部２００に所定額の硬貨が保持されたことを機械的に検出して、施錠位置へのキー１７によるシリンダ錠１５の回動操作の回動操作規制片３００による規制を解除する規制解除手段として働く。
【００３５】
回動操作可能になったシリンダ錠１５がキー１７により回動操作され図１に示す解錠位置から施錠位置に回動されると、駆動機構１００が施錠板１８を駆動して出没孔１１ｂ１から突出されてロッカ扉を開けることができない施錠状態となる。この状態でキー１７をキー挿抜孔から引き抜くことによって、荷物を保管することができる。
【００３６】
施錠位置に回動操作されたシリンダ錠１５のキー挿抜孔からキー１７が引き抜かれると、硬貨収容保持部２００に収容保持されている硬貨が開放され、装置内部の図示しない回収部に落下されてコインロッカの利用料として回収されることで課金される。
【００３７】
なお、キー１７がシリンダ錠１５から挿抜不能な解錠状態にあるとき、返却操作軸１６が押圧されると、硬貨収容保持部２００に収容保持されている硬貨が開放されて落下され硬貨返却口１３から返却される。したがって、利用者が硬貨投入を都合により途中で止め、返却操作軸１６を押圧すれば、硬貨返却口１３から投入硬貨の返却を受けることができる。
【００３８】
ロッカの使用を終了し、キー１７をシリンダ錠１５のキー挿抜孔に挿入して図１のキー引き抜き不能な解錠位置までシリンダ錠１５が回動操作されると、施錠板１８が出没孔１０ｂ１内に没入してロッカ扉を開閉できる解錠状態になり、ロッカ扉を開けて荷物収容室から荷物を取り出すことができる。この解錠状態においては、キー１７によるシリンダ錠１５の回動操作が、回動操作規制片３００により規制されて不能になるとともにキー１７が引き抜き不能となる。
【００３９】
以上概略説明した本発明の錠装置が有する各機構について、以下詳細に説明する。
【００４０】
駆動手段としての駆動機構１００は、キー１７によるシリンダ錠１５の回動操作によって施錠板１８を出没孔１１ｂ１を通じて出没させるように駆動し施解錠を行い、図４、図７、図１０、図１１、図１３などに示すように、シリンダ錠１５の背後に配置されており、キー１７により回動操作されるシリンダ錠１５のシリンダ軸１５ａの後端に嵌合角孔１１１が嵌合されて固定され、シリンダ軸１５ａとともに回動する駆動板１１０を有する。施錠板１８は、枠体１０の正面板１０ａの内面に沿って移動し出没孔１１ｂ１を通じて出没するように案内されている。施錠板１８の出没状態は、上記空間Ｓ内に常時ある施錠板１８の後端部に形成したＬ字状の係合溝１８ａ（図８、図１２）に係合された係合ピン１２１を一端に有する施錠板保持片１２０によって保持される。
【００４１】
施錠板保持片１２０は、その他端が正面板１０ａに突設した止軸１０ａ２に回転自在に枢着されている。係合ピン１２１と同軸に反対方向に突設された連結軸１２２には、正面板１０ａに突設した軸１０ａ３に一端１３１が回動自在に固定されたねじりコイルスプリング１３０の他端１３２が回動自在に固定されている。ねじりコイルスプリング１３０は軸１０ａ３と連結軸１２２との間に縮設されている。連結軸１２２は、施錠板保持片１２０が軸１０ａ２を中心に回動したとき、軸１０ａ２と軸１０ａ３との間（図８参照）を結ぶ直線を交差して移動するような位置に設けられる。
【００４２】
上述のような構成によって、施錠板保持片１２０は、ねじりコイルスプリング１３０によって、軸１２２が上記直線を超えて右側にあるとき時計回転方向の付勢力が付与されて図示の状態に保持され、軸１２２が上記直線を超えて左側にあるとき反時計回転方向の付勢力が付与されてその状態に保持されることで、Ｌ字状の係合溝１８ａに係合されている係合ピン１２１を介して施錠板１８を突出状態と没入状態に保持する。
【００４３】
施錠板保持片１２０に突設された連結軸１２２には、図４、図７、図１０、図１１、図１３などに図示のように、キー１７によるシリンダ錠１５の回動操作によってシリンダ軸１４とともに回動される駆動板１１０の一端部の連結凹部１１２が係合されている。したがって、同図において、キー１７によるシリンダ錠１５の回動操作によってシリンダ軸１４ａとともに駆動板１１０が時計回転方向に回動されると、施錠板保持片１２０はねじりコイルスプリング１３０の付勢力に抗して回動されるようになる。
【００４４】
しかし、硬貨収容保持部２００に所定額の硬貨が収容保持されていないときには、図１６の断面図に見られるように、施錠板保持片１２０の一端の連結軸１２２がその回動軌跡上に位置する回動操作規制片３００の規制部３１０に突き当たってそれ以上の回動が阻止されるため、キー１７によるシリンダ錠１５の回動操作が規制され、施錠板１８を出没孔１１ｂ１から突出させてロッカ扉を施錠することができない。回動操作規制片３００は、キー引き抜き不能な解錠状態にあり、硬貨収容保持部２００に所定額の硬貨が保持されていないとき、キー１７によるシリンダ錠１５の回動操作を規制する回動操作規制手段を構成する。
【００４５】
回動操作規制片３００は、図示しない一対の止軸に一対の軸孔３０１（図７、図１３に１つだけ見える）で回動自在に軸止され、重量アンバランスによって、図示しないストッパに突き当たった停止状態（図４、図１１）で矢印で示す反時計回転方向の回転力が付与されており、規制部３１０はここに連結軸１２２が突き当たったとき、回動操作規制片３００を反時計回転方向に回動させるような位置に設けられているので、回動規制片３００は停止状態から動くことがなく、連結軸１２２の移動が阻止される。なお、回動操作規制片３００には、硬貨検知片４１１を有する硬貨センサ４１０が一体に形成されている。
【００４６】
上述した回動操作規制片３００の規制部３１０によるシリンダ錠１５の規制は、回動操作規制片３００が自重アンバランスによる反時計回転方向の付勢力に抗して時計回転方向に回動され、規制部３１０が連結軸１２２の回動軌跡外に移動されたときに解除される。この規制解除によって、キー１７によるシリンダ錠１５の回動操作によって施錠板１８を出没孔１１ｂ１から突出させてロッカ扉を施錠することができる。
【００４７】
次に、硬貨収容保持部２００が、硬貨投入口１２に投入された硬貨を硬貨収容部２１０に収容して保持すると、シリンダ錠１５からのキー１７の引き抜きに応じて、保持されている硬貨を開放して落下させ、落下した硬貨を装置内部に回収して課金する機構を説明する。
【００４８】
硬貨収容部２１０は、枠体を除去して示す図９及び図１２に示されるように、左側板１０ｂの内側に隣接して配置された合成樹脂製の硬貨収容シュータ部材２１１と左側板内面との間に形成されている。このために、シュータ部材２１１には、その一方の面に、最大２個の１００円硬貨を直径方向を上下に並べて収容できる長さの空所を有する硬貨収容部２１０を画成するとともに、硬貨収容部２１０から図示しない回収部と硬貨返却口１３とに硬貨を導く案内路を画成するリブ２１１ａが設けられている。また、硬貨収容部２１０の入口部には、硬貨投入口１２に投入された硬貨を検銭し、正規硬貨の直径に相当するもののみを受け入れ、それ以外のものの受入を阻止する硬貨検銭機構２１２が設けられている。
【００４９】
シュータ部材２１１の他方の面側には、各種の部品が取り付けられる取付基板２２０が配置されている。取付基板２２０に起立された一対の起立片２２１（図７、図１３、図１６など参照）の対向面にそれぞれ突設された支軸２２１ａ（１つのみ図示）には、硬貨センサ４１０と一体の回動操作規制片３００の軸孔３０１がそれぞれ回動自在に嵌合されて、一対の支軸２２１ａ間に回動操作規制片３００及び硬貨センサ４１０が回動自在に支持されている。上述したように硬貨センサ４１０が有する硬貨検知片４１１は、シュータ部材２１１を横切った後、図９及び図１２に示すようにシュータ部材２１１の開口２１１ｂを通じて硬貨収容部２１０の空所内に突出されるとともに取付基板２２０の一部に当接された状態が、上述した重量アンバランスによって保たれている。
【００５０】
硬貨検知片４１１が硬貨収容部２１０の空所内に突出される部位は、２枚目の１００円硬貨が硬貨収容部２１０内に収容保持される部位である。したがって、２枚目の１００円硬貨が硬貨収容部２１０内に収容保持されたとき、当該硬貨によって硬貨検知片４１１が硬貨収容部２１０の空所外に後退され、硬貨検知片４１１と一体に形成されている回動操作規制片３００が、重量アンバランスによる回転力に抗して図４、図１１、図１６において時計回転方向に回動され、規制部３１０が連結軸１２２の回動軌跡外に移動され、キー１７によるシリンダ錠１５の回動操作の規制が解除される。
【００５１】
なお、回動操作規制片３００には、硬貨投入口シャッタ３０２も一体に形成されている。硬貨投入口シャッタ３０２は、規制部３１０が連結軸１２２の回動軌跡上にあって、キー１７によるシリンダ錠１５の回動操作を規制しているとき、硬貨投入口１２１への硬貨の投入を許容する位置にあるが、硬貨検知片４１１によって２枚目の１００円硬貨が硬貨収容部２１０内に収容保持されたことが検知されて回動操作規制片３００が回動されると、硬貨投入口１２を塞いで硬貨の投入を禁止する。
【００５２】
取付基板２２０に起立された一対の起立片２２２（図７、図１３など参照）の対向面にそれぞれ突設された支軸２２２ａにストッパ手段としての合成樹脂製のストッパ基板２３０の一対の軸孔２３１（１つのみ図示）がそれぞれ嵌合されて、一対の支軸間にストッパ基板２３０が回動自在に支持されている。ストッパ基板２３０には、一体に成形した硬貨ストッパピン２３２（図１４参照）が突設されている。ストッパ基板２３０はまた、一体成形されたスプリング収容部２３３に収容され、取付基板２２０との間に圧縮介在された弾性手段としてのコイルスプリング２４０（図１０の想像線）によって、シュータ部材２２１に回動自在に支持された状態で取付基板２２０から離間されるように付勢されている。
【００５３】
ストッパ基板２３０に突設されているストッパピン２３２は、コイルスプリング２４０による付勢によってストッパ基板２３０が取付基板２２０から離間されているときには、シュータ部材２１１の開口２１１ｃを通じて硬貨収容部２１０の空所から後退されているが、ストッパ基板２３０の押圧部２３４にコイルスプリング２４０による付勢に抗する押圧力が加えられてストッパ基板２３０が回動されると、シュータ部材２１１の開口２１１ｃを通じて硬貨収容部２１０の空所に突出される。ストッパピン２３２が硬貨収容部２１０の空所に突出されているときには、硬貨収容部２１０内に収容された硬貨は落下が阻止されて保持されているが、ストッパ基板２３０の押圧部２３４に付与されていた押圧力がなくなり、ストッパ基板２３０がコイルスプリング２４０による付勢によって回動され、ストッパピン２３２が硬貨収容部２１０の空所から後退されると、保持されていた硬貨が開放されて自重で落下する。
【００５４】
取付基板２２０に起立された一対の起立片２２３（図１１など参照）の対向面にそれぞれ突設された支軸２２３ａに合成樹脂製の硬貨保持アーム２５０の軸孔２５１の両側からそれぞれ嵌合され、一対の支軸２２３ａ間に硬貨開放アーム２５０が回動自在に支持されている。硬貨開放アーム２５０は、軸孔２５１を中心にその一側に一対の離間された被動アーム２５２を、他側に駆動アーム２５３をそれぞれ有し、一対の被動アーム２５２には連結長孔２５２ａ（図５、図１７など参照）があけられている。硬貨保持アーム２５０は、被動アーム２５２に駆動力が与えられ回動されると、駆動アーム２５３が押圧部２３４を押圧してコイルスプリング２４０の付勢力に抗してストッパ基板２３０を回動させて、ストッパピン２３２を硬貨収容部２１０の空所にそれぞれ突出させ、硬貨収容部２１０に収容した硬貨を保持する。
【００５５】
取付基板２２０に起立された起立片２２４（図１３、図１５、図１７など参照）のガイド孔２２４ａにより、シリンダ錠１５のシリンダ軸１５ａの後端から突出された作動桿としてのキー応動丸棒２６０が上記支軸２２３ａの軸方向と直交する方向に摺動自在に支持されている。キー応動丸棒２６０は、図１５及び図１７の断面図に示すように、その一端がシリンダ軸１５ａのキー挿入穴１５ｂ内まで伸びており、他端には径方向に貫通する長孔２６１が形成されている。キー応動丸棒２６０の他端には、この長孔２６１を塞ぐように駆動桿としての円管２６２の一端が嵌合された上で長孔２６１を貫通して円管２６２に駆動ピン２６３が打ち込まれ、長孔２６１の長さの範囲で相対移動可能に円管２６２が連結されている。
【００５６】
円管２６２の駆動ピン２６３が打ち込まれた部分が上記硬貨保持アーム２５０の一対の被動アーム２５２間に位置され、駆動ピン２６３の両端の延長部が被動アーム２５２の連結長孔２５２ａに挿入されることで、円管２６２と被動アーム２５２が連結される。円管２６２内には、キー応動丸棒２６０の端面と、円管２６２の他端に駆動ピン２６３と直交する方向に打ち込んだ被動ピンを兼ねた止めピン２６４との間に縮設されたコイルスプリング２６５が収容されている。このコイルスプリング２６５の縮設によって、円管２６２に打ち込まれた駆動ピン２６３及び被動ピン２６４は、キー応動丸棒２６０に対して一方向に常時付勢される。
【００５７】
上述した構成において、円管２６２内に縮設したコイルスプリング２６５の付勢力は、ストッパ基板２３０にコイルスプリング２４０によって付与されている付勢力よりも大きくされている。このことによって、シリンダ錠１５のキー挿入口にキー１７が挿入され、図示のように、キー応動丸棒２６０がキー１７の先端に押されて最も右方に移動されると、このキー応動丸棒２６０の移動に伴って円管２６２も一緒に移動し、駆動ピン２６３によって被動アーム２５２が駆動されて硬貨保持アーム２５０が回動されるようになる。そして、硬貨保持アーム２５０の回動によって、駆動アーム２５３が押圧部２３４を押圧してコイルスプリング２４０の付勢力に抗してストッパ基板２３０を回動させて、ストッパピン２３２が硬貨収容部２１０の空所に突出される。このストッパピン２３２の硬貨収容部２１０内への突出状態は、シリンダ錠１５にキー１７が挿入されている間保持される。
【００５８】
なお、ストッパ基板２３０が取付基板２２０の表面に当たって回動できなくなった後のキー応動丸棒２６０の移動量は、長孔２６１によって円管２６２に対してキー応動丸棒２６０が相対移動することによって吸収される。
【００５９】
なお、シリンダ錠１５のキー挿入口に挿入されているキー１７が抜かれると、図示のように、キー１７の先端に押されて最も右方に移動されていたキー応動丸棒２６０が元の位置に戻され、コイルスプリング２４０による付勢に抗してストッパ基板２３０を押圧して保持していた拘束力がなくなり、ストッパ基板２３０がコイルスプリング２４０による付勢によって回動され、ストッパピン２３２が硬貨収容部２１０の空所から後退され、保持されていた硬貨が開放されて自重で落下する。
【００６０】
前板１１に一端が突出されている返却操作軸１６は、取付基板２２０に起立した一対の起立片２２５がそれぞれ有するガイド孔２２５ａにより軸方向に摺動自在に支持されている。返却操作軸１６は、図１７の断面図に示すように、後方の起立片２２５のガイド孔２２５ａから突出された軸端部にストッパを兼ねた駆動ピン１６ａが打ち込まれ、返却操作軸１６に外装したコイルスプリング１６ｂが起立片２２５間の部分に装着した止め輪１６ｃと後方の起立片２２５との間で縮設されることで、常時突出方向に付勢されている。取付基板２２０には、支軸２２６に硬貨返却手段としての揺動レバー１６ｄの中間部が回動自在に支持されている。揺動レバー１６ｄは返却操作軸１６が押圧されて後退されると一端部に駆動ピン１６ａが当接して揺動され、この揺動によって他端部が被動ピン２６４に当接して円管２６２が駆動ピン２６３とともに、円管２６２内に縮設されているコイルスプリング２６５の付勢力に抗して移動される。
【００６１】
この駆動ピン２６３の移動によって、被動アーム２５２が駆動されて硬貨保持アーム２５０が回動されるようになる。そして、硬貨保持アーム２５０の回動によって、駆動アーム２５３による押圧部２３４に対する押圧がなくなり、ストッパ基板２３０がコイルスプリング２４０の付勢力によって取付基板２２０から離間する方向に回動されて、ストッパピン２３２が硬貨収容部２１０の空所から後退される。このストッパピン２３２の硬貨収容部２１０からの後退によって、それまで硬貨収容部２１０内に収容保持されていた硬貨が落下される。
【００６２】
なお、返却操作軸１６には、シリンダ錠１５が図７、図１０、図１７などに示すような解錠状態にあるときには係合していないが、解錠状態から施錠状態になると駆動板１１０の返却操作規制手段としての係合突部１１３が係合する溝１６ｅが形成されており、施錠状態にあって係合突部１１３が溝１６ｅに係合しているときには、硬貨の返却を受けるための返却操作軸１６の押圧操作をできなくする。
【００６３】
取付基板２２０には、図１０に示すように、起立された一対のガイド軸２２７が案内孔２７１にそれぞれ嵌合されて、連結板２７０が上下方向に摺動自在に案内されて支持されている。連結板２７０は、図８、図１０、図１１の部分図である図１８、図１９、図２０に示すように、その上方部に形成された係合凹部２７２に駆動板１１０の連結突片１１４が係合され、駆動板１１０の解錠状態への回動によって上方向に、駆動板１１０の施錠状態への回動によって下方向にそれぞれ駆動される。連結板２７０の下端部には係合長孔２７３が形成され、この長孔２７３に切替手段としての落下路切替片レバー２８０の偏心軸２８１が係合されている。落下路切替片レバー２８０は、大径軸２８２及び小径軸２８３が取付基板２２０の大径軸孔２２８（図９、図１２）及びシュータ部材２１１の小径軸孔２１１ｄ（図９、図１２）にそれぞれ嵌合されて回動自在に支持されている。そして、シリンダ錠１５が図９及び図１２に示すような解錠状態にあり、連結板２７が上方向に駆動されているときには、硬貨収容部２１０に収容保持された硬貨が解放によって落下した硬貨が回収部に落下して回収されることがないように回収部への落下路を塞ぐ。
【００６４】
これに対し、シリンダ錠１５が図９及び図１２に示すような解錠状態から駆動板１１０が回動されて施錠状態にされると、これに伴って連結板２７０が下方に移動されて落下路切替片レバー２８０が回動され、回収部への落下路が開かれる。その後、シリンダ錠１５のキー挿入口に挿入されているキー１７が抜かれると、ストッパピン２３２が硬貨収容部２１０の空所から後退され、保持されていた硬貨が開放されて自重で落下するが、落下した硬貨は開かれた落下路を通って回収部に回収される。
【００６５】
なお、シリンダ錠１５が解錠状態にあるとき、回収部への落下路が塞がれているので、硬貨の返却を受けるための返却操作軸１６が押圧操作されて、硬貨収容部２１０内に収容保持されていた硬貨が落下されると、落下路の塞がれている回収部に回収されることなく、硬貨返却口１３から確実に返却される。
【００６６】
硬貨返却口１３から返却する硬貨を硬貨返却口１３に案内する返却案内路には、シリンダ錠１５の解錠及び施錠に連動して案内路を開及び閉するシャッタ手段としての開閉シャッタ２９０（図８、図９、図１２など）が設けられている。開閉シャッタ２９０は、図１８〜図２０などに示すように、駆動機構１００の一部を構成する施錠板保持片１２０を回動自在に支持している支軸１０ａ２を共用し、支軸１０ａ２に一端の軸孔が嵌合されて回動自在に支持されている。開閉シャッタ２９０には、支軸１０ａ２に隣接して形成されたカム溝２９２に、駆動板１１０に起立させた駆動ピン１１５が挿入されている。したがって、開閉シャッタ２９０は、シリンダ錠１５の解錠及び施錠に伴う駆動板１１０の回動よって回動駆動され、他端のシャッタ部２９３がシュータ部材２１１の開口２１１ｅを通じて出没して返却案内路を開閉する。
【００６７】
上述した機構を備えた錠装置の動作を以下説明する。図１〜図２０に示したように、シリンダ錠１５が、硬貨投入口１２に１００円硬貨が投入可能となるキー１７がキー引き抜き不能な解錠状態にあり、硬貨投入口１２に１枚の１００円硬貨も投入されておらず、硬貨収容保持部２００の硬貨収容部２１０内に収容され保持された硬貨が１枚もないときには、図１１及び図１６に示すように、硬貨センサ４１０の硬貨検知片４１１は硬貨保持部２１０内に突出した状態に保たれるので、硬貨センサ４１０と一体の回動操作規制片３００の規制部３１０は連結軸１２２が突き当たる位置に止まっている。したがって、キー１７によってシリンダ錠１５を回動操作して駆動板１１０によって連結軸１２２を移動させようとすると、連結軸１２２が規制部３１０に突き当たってそれ以上移動できず、シリンダ錠１５の回動操作が規制される。
【００６８】
シリンダ錠１５にキー１７が挿入された状態では、図１４に示すように、キー１７の先端によってキー応動丸棒２６０が押されて移動される。このキー応動丸棒２６０の移動に伴って、と円管２６２に打ち込んだ被動ピンとの間に縮設したコイルスプリング２６５を介して円管２６２も一緒に移動し、円管２６２に打ち込まれた駆動ピン２６３によって被動アーム２５２が駆動されて硬貨保持アーム２５０が回動され、硬貨保持アーム２５０の回動によって、駆動アーム２５３が押圧部２３４を押圧してコイルスプリング２４０の付勢力に抗してストッパ基板２３０を回動させて、ストッパピン２３２が硬貨収容部２１０内に突出されているので、硬貨投入口１２に投入され硬貨収容部２１０に収容された２枚の１００円硬貨は、図２１に示すように、ストッパピン２３２によって落下が阻止され硬貨収容部２１０内に保持される。
【００６９】
図２１に示すように、硬貨投入口１２に投入された２枚の１００円硬貨が硬貨収容部２１０に収容保持されると、図２２及び図２３に示すように、２枚目の硬貨によって硬貨検知片４１１が硬貨収容部２１０内から後退されれ硬貨センサ４１０がこれと一体の回動規制片３００とともに回動され、回動規制部３１０が連結軸１２２の移動軌跡上から外れた位置に移動される。このことによって、キー１７によってシリンダ錠１５が回動操作されて駆動板１１０によって連結軸１２２が移動されても、連結軸１２２が規制部３１０に突き当ることがなくなるので、それまで規制され不可能であったシリンダ錠１５の回動操作が可能になる。また、回動規制片３００が回動されることによって、これと一体の硬貨投入口シャッタ３０２が、図２３に示すように、硬貨投入口１２を塞いで硬貨の投入を禁止する。
【００７０】
回動操作の規制が解除されたシリンダ錠１５がキー１７により回動操作されて解錠状態から施錠状態になると、図２４に示すように、シリンダ軸１５ａとともに駆動板１１０が回動され、施錠板１８が突出されるとともに、駆動板１１０の係合突部１１５が返却操作軸１５の溝１５ｆに係合されるようになり、返却操作軸１５の押圧操作ができなくなる。また、図２５〜図２７に示すように、一端部が駆動板１１０の連結突片１１６に係合されている連結板２７０が下方に移動され、その他端部に偏心軸２７１が係合されている落下路切替片レバー２８０が回動されて、硬貨収容部２１０に収容保持された硬貨が解放によって落下したとき、落下した硬貨が回収部に落下して回収されるように回収部への落下路を開く。また、返却案内路開閉シャッタ２９０のカム溝２９２に挿入されている駆動板１１０の駆動ピン１１８がカム溝２９２内を移動することで、返却案内路開閉シャッタ２９０が回動駆動されてシャッタ部２９３が返却案内路を閉じる。
【００７１】
シリンダ錠１５を施錠状態に回動操作した後にキー１７をキー挿入穴（図１５中の１５ｂ）から抜き取ると、それまでキー１７の先端から、キー応動丸棒２６０、コイルスプリング２６５、止めピン２６４、円管２６２、駆動ピン２６３、硬貨保持アーム２５０を介して、ストッパピン２３２が硬貨収容部２１０内に突出されるように、コイルスプリング２４０の付勢力に抗して回動させストッパ基板２３０を押圧していたコイルスプリング２６５の圧縮力に相当する力が開放され、ストッパピン２３２が硬貨収容部２１０外に後退するように、ストッパ基板２３０がコイルスプリング２４０の付勢力によって回動される。したがって、キー１７をキー挿入穴（図１５中の１５ｂ）から抜き取ると、ストッパピン２３２によって、図２８に示すように、硬貨収容部２１０内に収容保持されていた硬貨が開放されて落下する。硬貨が落下される前に、落下路切替片レバー２８０が回動されて回収部への落下路が開かれ、返却案内路開閉シャッタ２９０によって返却案内路が閉じられているので、キーの引き抜きによって収容保持された硬貨は利用料として回収される。
【００７２】
施錠状態にあるときには駆動板１１０の係合突部１１５は返却操作軸１６の溝１６ｆに係合されているので、返却操作軸１６は押圧操作できないが、解錠状態にあるときには返却操作軸１６はいつでも押圧操作できる。よって、硬貨投入を途中で止めて、投入した硬貨の返却を求めることができる。
【００７３】
解錠状態にあるとき、返却操作軸１６がコイルスプリング１６ｂによる復帰力に抗して押圧されると、図２９〜図３３に示すように、返却操作軸１６後端の駆動ピン１６ａが揺動レバー１６ｄの一端部に当たって揺動レバー１６ｄを揺動させ、揺動レバー１６ｄの他端部が被動ピン２６４に当接して円管２６２を円管２６２内に縮設されているコイルスプリング２６５の付勢力に抗して駆動ピン２６３とともに移動される。この駆動ピン２６３の移動によって、被動アーム２５２が駆動されて硬貨保持アーム２５０が回動されるようになる。
【００７４】
そして、硬貨保持アーム２５０の回動によって、駆動アーム２５３による押圧部２３７に対する押圧がなくなり、ストッパ基板２３０がコイルスプリング２４０の付勢力によって取付基板２２０から離間する方向に回動されて、ストッパピン２３２が硬貨収容部２１０外に後退される。このストッパピン２３２の硬貨収容部２１０外への後退によって、それまで硬貨収容部２１０内に収容されストッパピン２３２によって保持されていた硬貨が落下される。解錠状態にあるとき、落下路切替片レバー２８０が回収部への落下路を塞ぎ、返却案内路開閉シャッタ２９０が返却案内路を開しているので、返却操作軸１６の押圧操作によって落下された硬貨は硬貨返却口１３から装置外部に排出されて利用者に返却される。
【００７５】
上述した錠装置では、シリンダ錠１５が解錠状態であれば、返却操作軸１６の押圧操作によって、硬貨収容保持部２００に保持されている硬貨を落下させ硬貨返却口１３から排出させて利用者に返却することができるので、利用に当たって硬貨を硬貨投入口１２に所定額の硬貨を投入している途中で硬貨の不足に気が付き、両替のために投入途中のロッカを離れる際に、投入済みの硬貨を返却操作によって返却してもらうことができるようになり、硬貨投入途中でロッカから離れなけれなければならなくなる事態を防ぐことができる。よって、硬貨投入途中でロッカを離れた場合に発生する可能性のあるトラブルを未然に防止できる。
【００７６】
また、上述の錠装置では、返却操作によって、投入された硬貨を返却できるように硬貨返却口１３が設けられているが、収容保持された硬貨が利用料として回収される際に、シャッタ板２９３によっ硬貨返却口１３が閉じられているので、回収のため落下される硬貨を返却口側に誘導するような不正具が硬貨返却口を通じて挿入されることを阻止することができる。
【００７７】
なお、図示の実施の形態では、シリンダ錠が解錠位置にあるとき、硬貨収容保持手段が硬貨投入口に投入された硬貨を収容し保持する機構として、シリンダ錠１５に挿入されるキー１７によって作動されるキー応動丸棒２６０と、このキー応動丸棒２６０との間にスプリング２６５が縮設されるともにこのスプリング２６５による付勢力に抗してキー応動丸棒２６０に対して所定量相対的に移動可能に連結された円管２６２とを有し、シリンダ錠１５に挿入されたキー１７によってキー応動丸棒２６０及び円管２６２を介してストッパピン基板２３０を弾性付勢力に抗して押圧して回動させ、ストッパピン２３２を硬貨収容部２１０内に進入した状態に保持し、シリンダ錠１５からのキー１７の引き抜きによってキー応動丸棒２６０及び円管２６２を介してのストッパピン基板２３０の押圧を解消してストッパピン基板２３０を弾性付勢力に従って回動させ、ストッパピン２３２を硬貨収容部２１０外に後退させて硬貨収容部２１０に保持されている硬貨を開放して落下させる構成を採用しているが、シリンダ錠１５に挿入されたキー１７に応動し、弾性付勢力に抗してストッパ手段を硬貨収容部内に突入させる力を弾性手段を介して付与し、返却操作軸１６の操作に応じ、弾性手段を介して付与しているストッパ手段を硬貨収容部内に突入させる力を解消し、ストッパ手段を硬貨収容部外に退出させることができる構成であればよく、上述した構成に制限されるものでない。
【００７８】
例えば、実施形態では１部品構成となっている硬貨保持アーム２５０を、非道レバーと駆動レバーに２部品構成となし。両部品間に上述した弾性手段を介在させて連結し、返却操作によって弾性手段に抗して駆動レバーを回動させてストッパ基板２３０を弾性付勢力に抗して押圧している力を解消する構成が採用することができる。
【図面の簡単な説明】
【００７９】
【図１】本発明に係る課金型硬貨式錠装置の一実施の形態を示す正面図である。
【図２】図１の課金型硬貨式錠装置の左側面図である。
【図３】図１の課金型硬貨式錠装置の右側面図である。
【図４】図１の課金型硬貨式錠装置の背面図である。
【図５】図１の課金型硬貨式錠装置の上面図である。
【図６】図１の課金型硬貨式錠装置の右後方から見た斜視図である。
【図７】図１の課金型硬貨式錠装置の右後方から見た斜視図である。
【図８】枠体を除去した図１の課金型硬貨式錠装置の正面図である。
【図９】枠体を除去した図２の課金型硬貨式錠装置の左側面図である。
【図１０】枠体を除去した図３の課金型硬貨式錠装置の右側面図である。
【図１１】枠体を除去した図４の課金型硬貨式錠装置の背面図である。
【図１２】枠体を除去した図６の課金型硬貨式錠装置の斜視図である。
【図１３】枠体を除去した図７の課金型硬貨式錠装置の斜視図である。
【図１４】図９中のＡ−Ａ断面線について見た断面図である。
【図１５】図１０中のＢ−Ｂ断面線について見た断面図である。
【図１６】図１０中のＣ−Ｃ断面線について見た断面図である。
【図１７】図１１中の断面線Ｄ−Ｄ断面線について見た断面図である。
【図１８】図８中の一部分の正面図である。
【図１９】図１０中の一部分の右側面図である。
【図２０】図１１中の一部分の背面図である。
【図２１】硬貨を収容保持した状態を示す図９の左側面図である。
【図２２】硬貨を収容保持した状態の図１１の一部分を背面図である。
【図２３】図２２中のＥ−Ｅ断面線について見た断面図である。
【図２４】施錠状態の図１１の一部分を示す背面図である。
【図２５】施錠状態を示す図１８の正面図である。
【図２６】施錠状態を示す図１９の右側面図である。
【図２７】施錠状態を示す図２０の背面図である。
【図２８】硬貨の回収動作状態を示す図２１の左側面図である。
【図２９】返却動作状態を示す図１０の右側面図である。
【図３０】返却動作状態を示す図１７の断面図である。
【図３１】返却動作状態を示す図１５の断面図である。
【図３２】返却動作状態を示す図１４の断面図である。
【図３３】図２９中のＦ−Ｆ断面線について見た断面図である。
【符号の説明】
【００８０】
１２  硬貨投入口
１３  硬貨返却口
１５  シリンダ錠
１６  返却操作軸（返却操作手段）
１６ｄ  揺動レバー（硬貨返却手段）
１７  キー
１８  施錠板
１００  駆動機構（駆動手段）
１１３  係合突部（返却操作規制手段）
２００  硬貨収容保持部（硬貨収容保持手段）
２１０  硬貨収容部（硬貨収容手段）
２３０  ストッパ基板（ストッパ手段）
２３２  ストッパピン
２６０  キー応動丸棒（作動桿）
２６２  円管（駆動桿）
２６５  スプリング（弾性手段）
２８０  落下路切替片レバー（切替手段）
２９０  開閉シャッタ（シャッタ手段）
３００  回動操作規制片（回動操作規制手段）
４１０  硬貨センサ（規制解除手段）
【図１】
2007321412.tif 000003
【図２】
2007321412.tif 000004
【図３】
2007321412.tif 000005
【図４】
2007321412.tif 000006
【図５】
2007321412.tif 000007
【図６】
2007321412.tif 000008
【図７】
2007321412.tif 000009
【図８】
2007321412.tif 000010
【図９】
2007321412.tif 000011
【図１０】
2007321412.tif 000012
【図１１】
2007321412.tif 000013
【図１２】
2007321412.tif 000014
【図１３】
2007321412.tif 000015
【図１４】
2007321412.tif 000016
【図１５】
2007321412.tif 000017
【図１６】
2007321412.tif 000018
【図１７】
2007321412.tif 000019
【図１８】
2007321412.tif 000020
【図１９】
2007321412.tif 000021
【図２０】
2007321412.tif 000022
【図２１】
2007321412.tif 000023
【図２２】
2007321412.tif 000024
【図２３】
2007321412.tif 000025
【図２４】
2007321412.tif 000026
【図２５】
2007321412.tif 000027
【図２６】
2007321412.tif 000028
【図２７】
2007321412.tif 000029
【図２８】
2007321412.tif 000030
【図２９】
2007321412.tif 000031
【図３０】
2007321412.tif 000032
【図３１】
2007321412.tif 000033
【図３２】
2007321412.tif 000034
【図３３】
2007321412.tif 000035